(57)【要約】【課題】フィルタから取り除かれた塵埃の再付着を抑え、省エネにも好適な空気調和機を提供する。【解決手段】送風ファン３１１と熱交換器３３の上流にフィルタ２３１を備え、このフィルタ２３１を通過した空気を熱交換して送風する空気調和機において、フィルタ２３１の上流側の面と摺接しフィルタ２３１の塵埃を掻き出す刷毛２６７と、この刷毛２６７とフィルタ２３１との相対的な位置を移動させる移動手段２４２，２４３，２４４と、刷毛２６７と摺接して刷毛２６７に付着した塵埃を刷毛２６７から除去するとともにこの塵埃を付着させる除去ブラシ２７１と、除去ブラシ２７１と摺接して除去ブラシ２７１に付着した塵埃を保持する塵埃戻り防止ブラシとを備えることで、フィルタの清掃を可能とした。【選択図】図４
2008057846.tif 000002
【特許請求の範囲】
【請求項１】
送風ファンと熱交換器の上流にフィルタを備え、このフィルタを通過した空気を熱交換して送風する空気調和機において、
前記フィルタの上流側の面と接触して摺動する刷毛と、この刷毛と前記フィルタとの相対的な位置を移動させる移動手段と、前記刷毛と摺動して前記刷毛に付着した塵埃を前記刷毛から除去するとともにこの塵埃を付着させる除去ブラシと、前記除去ブラシと摺動して前記除去ブラシに付着した塵埃を保持する塵埃戻り防止ブラシとを備えた空気調和機。
【請求項２】
送風ファンと熱交換器の上流にフィルタを備え、このフィルタを通過した空気を熱交換して送風する空気調和機において、
前記フィルタの上流側の面と接触，摺動し前記フィルタの塵埃を掃き出す刷毛と、この刷毛と前記フィルタとの相対的な位置を移動させる移動手段と、塵埃が付着した前記刷毛の摺動方向と反対の方向に傾斜植毛され前記刷毛と摺動して前記刷毛に付着した塵埃を前記刷毛から除去するとともにこの塵埃を付着させる除去ブラシと、前記除去ブラシの植毛方向側に位置し前記除去ブラシと摺動する塵埃戻り防止ブラシとを備え、
前記塵埃戻り防止ブラシは前記除去ブラシの植毛方向に傾斜して植毛され、前記除去ブラシが前記塵埃戻り防止ブラシ上を往復することを特徴とする空気調和機。
【請求項３】
送風ファンと熱交換器の上流にフィルタを備え、このフィルタを通過した空気を熱交換して送風する空気調和機において、
前記フィルタの上流側の面と接触，摺動し前記フィルタの塵埃を掃き出す刷毛と、
この刷毛を移動させる移動手段と、
前記フィルタの外側であって前記移動手段によって移動する前記刷毛の移動方向の延長上に位置し、回動可能に軸支された円筒状の円弧面において前記刷毛の移動方向と反対の方向に傾斜して植毛されたブラシ面を有し、前記刷毛と摺動して前記刷毛に付着した塵埃を前記刷毛から除去するとともにこの塵埃を付着させる除去ブラシと、
前記除去ブラシの回動位置において前記ブラシ面と対向し、かつ、前記除去ブラシの植毛の傾斜方向側に位置し、前記ブラシ面の植毛の傾斜方向に傾斜植毛され、前記ブラシ面と摺動する凹状のブラシ面を有する塵埃戻り防止ブラシと、を備え、
前記除去ブラシは前記刷毛と接触可能な位置と前記塵埃戻り防止ブラシのブラシ面と接触可能な位置との間を回動することを特徴とする空気調和機。
【請求項４】
前記刷毛は前記移動手段によって前記フィルタ上を往復し、
前記移動手段は、前記刷毛の往移動時に前記除去ブラシのブラシ面を超えて反フィルタ側まで前記刷毛を移動させ、前記刷毛の復移動時に前記除去ブラシのブラシ面と前記塵埃戻り防止ブラシのブラシ面とを摺動させることを特徴とする請求項１又は２に記載の空気調和機。
【請求項５】
前記刷毛は前記移動手段によって前記フィルタ上を往復し、
前記移動手段は、前記刷毛の往移動時に前記除去ブラシのブラシ面を超えて反フィルタ側まで前記刷毛を移動させ、前記刷毛の復移動時に前記除去ブラシを回動させて前記除去ブラシのブラシ面と前記塵埃戻り防止ブラシのブラシ面とを接触，摺動させることを特徴とする請求項３に記載の空気調和機。
【請求項６】
前記刷毛によって掻き出された塵埃を受け入れる開口部を、前記フィルタの外側であって前記移動手段によって移動する前記刷毛の移動方向の延長上に有し、
前記刷毛を支持する支持体と、
前記開口部を覆う位置において、前記除去ブラシを前記ブラシ面が前記刷毛と接触可能に露出する第一の回動位置と、前記塵埃戻り防止ブラシの凹状のブラシ面と接触する第二の回動位置との間を回動可能に軸支するブラシホルダーと、
前記ブラシホルダーと前記除去ブラシとの間に張架され前記除去ブラシを前記第一の回動位置側に付勢するばね部材と、前記刷毛の復移動時に前記支持体と当接して前記除去ブラシを前記第二の回転位置に導くレバー部材とを備え、
前記刷毛の復移動時に前記支持体が前記ブラシホルダー上を通過して前記レバー部材と前記支持体との当接が解除されると、前記ばね部材によって前記除去ブラシが前記第一の回動位置へと戻ることを特徴とする請求項５に記載の空気調和機。
【請求項７】
前記支持体には、往移動時における前記支持体の反進行方向側に、前記レバー部材と当接するレバー突起を備え、前記刷毛と前記除去ブラシのブラシ面とが当接した後に前記レバー部材と前記レバー突起とが当接することを特徴とする請求項６に記載の空気調和機。
【請求項８】
前記支持体は、前記刷毛と前記レバー突起との間に、前記刷毛の変形を抑制する刷毛押さえを備えたことを特徴とする請求項７に記載の空気調和機。
【請求項９】
前記除去ブラシは横長に取り付けられた前記フィルタの側方に設置され、前記移動手段は前記刷毛を前記フィルタ面に接触摺動させながら左右に移動させるものとし、前記除去ブラシのブラシ面の頂部は前記フィルタ面よりも前記刷毛側に位置することを特徴とする請求項６乃至８のいずれかに記載の空気調和機。
【請求項１０】
前記刷毛は前記フィルタ面に合わせて植毛領域が上下に延在するとともに、前記植毛領域の下端が前記除去ブラシ方向に曲げられることを特徴とする請求項９に記載の空気調和機。
【請求項１１】
前記除去ブラシのブラシ面の頂部を結ぶ外形線の側方投影を前記フィルタの表面の縦断面形状と合わせたことを特徴とする請求項１０に記載の空気調和機。
【請求項１２】
前記除去ブラシを複数有し、前記開口部を一又は複数有し、これらの複数の除去ブラシによって前記開口部が覆われ、かつ、前記複数の除去ブラシの回動軸方向がそれぞれ異なることを特徴とする請求項１１に記載の空気調和機。
【請求項１３】
前記複数の除去ブラシの隣り合う端部は前記刷毛の移動方向に重複し、かつ、前記複数の除去ブラシのそれぞれが離れて設置されていることを特徴とする請求項１２に記載の空気調和機。
【請求項１４】
前記フィルタは前記熱交換器の上流で前記空気調和機の前面側と上面側を覆う横長のフィルタであり、前記支持体は前記フィルタの短手方向に延伸し、
前記フィルタの外周を囲んでこのフィルタを支持する枠体と、前記フィルタの長手方向に延伸し前記支持体を保持して前記刷毛を左右に導く推進軸と、前記支持体を移動させるモータと、を備え、
前記枠体は前記支持体の上端部又は下端部を左右方向に移動可能に支持することを特徴とする請求項１３に記載の空気調和機。
【請求項１５】
前記モータは、前記除去ブラシと反対側の前記フィルタの側方に配置され、前記枠体に固定されるとともに前記推進軸に対して駆動力を付与することを特徴とする請求項１４に記載の空気調和機。
【請求項１６】
前記掃除用刷毛が反転移動する際に、該掃除用刷毛の毛先が開放される領域を設けたことを特徴とする請求項３に記載の空気調和機。
【請求項１７】
前記掃除用刷毛が前記フィルタの清掃動作に先立つ前記掃除用刷毛の待機位置を、前記掃除用刷毛の毛先が開放される領域に設けることを特徴とする請求項１６に記載の空気調和機。
【請求項１８】
前記掃除用刷毛の待機位置を、前記フィルタの網部を挟んで前記除去ブラシと反対側に設けたフィルタ面より通風の方向に窪ませた凹状部とすることを特徴とする請求項１７に記載の空気調和機。
【請求項１９】
前記フィルタと前記除去ブラシとの間に前記掃除用刷毛を開放する領域を設けることを特徴とする請求項３に記載の空気調和機。
【発明の詳細な説明】
【技術分野】
【０００１】
本発明はフィルタの自動清掃が可能な空気調和機に関する。
【背景技術】
【０００２】
空気調和機は室内空気を熱交換器に循環させて、加熱，冷却，除湿機能などにより調和空気にし、これを室内に吹出すことにより室内環境を快適なものとする。このとき、循環空気中の塵埃を除去するフィルタを備えて、熱交換器に塵埃が付着し熱交換性能が低下することのないように、また、室内を清浄な空間にし、居住者が快適に過ごせるようにしている。フィルタにはこのように常に室内空気が循環しているので、室内空気中の塵埃が徐々に蓄積されていく。
【０００３】
このため、適当な時期にフィルタを清掃する必要がある。従来、空気調和機に内蔵されるフィルタを清掃するときには、空気調和機から塵埃で汚れたフィルタを取り出して電気掃除機等を使用して付着した塵埃を取り除き、再び空気調和機に取り付けていた。しかし、空気調和機は室内の高所に据付けられることが多く、高齢者等には手が届き難いため、フィルタの清掃が簡単にできるように種々の工夫が凝らされている。この種の従来技術として、特許文献１〜４に記載のものが知られている。
【０００４】
特許文献１は熱交換器の頂部付近にフィルタを熱交換器に沿って室内機の前面側と背面側とに移動させてなるフィルタ移動手段と、このフィルタに付着したゴミを回収するゴミ取り部とを設け、筐体の前面側と背面側にフィルタ１枚分の長さに相当するフィルタ収納スペースを設けて、フィルタを筐体の外に引き出すことなくゴミを自動的に掻き取るとともに、回収したゴミをゴミ送り手段によってゴミ収納部に送り出し保管する。フィルタ表面上に付着したゴミを自動的に除去するとともに、除去したゴミを長期間保管でき、しかも簡単に回収することができる空気調和機について述べている。
【０００５】
特許文献２は室内機の熱交換器の前面側に沿って配置されたガイドレールに沿ってゴミ取り部をスライド可能に取り付け、フィルタを挟み込みながら、ゴミ取り部を左右に移動させる。フィルタ表面上に付着したゴミをゴミ取り部内のブラシで簡単に除去する空気調和機について述べている。
【０００６】
特許文献３は空気吸入口と熱交換器との間に配置されたフィルタを所定方向にスライド移動させるスライド手段と、フィルタに付着した塵埃を除去するフィルタ清掃部とを設けて、フィルタを自動的に清掃するとともに、除去されたゴミがフィルタ清掃部外に持ち出されないようにする。フィルタに付着したゴミを自動的に確実に除去できるとともに、除去したゴミがフィルタに再付着しないようにした除塵装置を有する空気調和機について述べている。
【０００７】
特許文献４はごみ除去手段を、フィルタ上を移動自在に形成されたごみ吸引部と、本体の側面空間内に配置された吸引ファン部と、ごみ吸引部と吸引ファン部とを連結する吸引ダクト部とで構成した。複雑に折れ曲がったフィルタ上のごみを自動的に清掃する空気調和機について述べている。
【０００８】
【特許文献１】特開２００４−４４９３３号公報
【特許文献２】特開２００４−３０１３５５号公報
【特許文献３】特開２００４−２８４８７号公報
【特許文献４】特開２００２−３４０３９５号公報
【発明の開示】
【発明が解決しようとする課題】
【０００９】
フィルタに塵埃が溜まった状態で空気調和機を使用し続けると風量の低下を招き、省エネに反する運転となってしまう。上述のように、空気調和機は室内の高所に据付けられることが多く、手が届きにくいため、高齢者等にはフィルタの取り付け取り外しが困難であった。また、健常者にとっても作業が面倒くさがられて省略されたりすることが多く、フィルタに塵埃が溜まり続け、熱交換器に循環する風量が減少する。
【００１０】
このような状態になると冷暖房効率が悪化し、省エネに反する運転が続くことになる。これを解決するため、前述のような種々の技術が提案されている。しかし、ブラシを使用して、フィルタに付着した塵埃をブラシに付着させた後、ブラシからの塵埃の除去が適切に考慮されているとは言い難く、改良が求められている。
【００１１】
特許文献１や特許文献２に記載の構成では、ゴミ取りブラシについたゴミを適宜に除去する構造になっていないので、フィルタの往移動時にゴミ取りブラシで払拭されたゴミはゴミ取りブラシにしっかり保持されていないと、復移動時に落下してフィルタに再付着する。逆にしっかり付き過ぎていると、ゴミは落下せずブラシに保持されたままになる。
【００１２】
特許文献１では、ブラシに付着したゴミを下方のゴミ送り手段に落下させるためにフィルタに開口部が設けられているが、重力による落下を前提としており、ブラシにゴミがしっかり保持されていた場合については考慮されていない。フィルタへのゴミの再付着の防止に関してはスクレーパを備えてこれを抑制しているが、フィルタに大きな力が掛かってしまう。また、ブラシについたゴミの適宜なタイミングでの落下方法に付いては何ら言及されていない。
【００１３】
特許文献３ではフィルタの吸入面側の直立ブラシ，傾斜ブラシと、フィルタの反対側の直立ブラシでフィルタを挟み込み、フィルタ清掃部の導入部に、フィルタの導入時に開き、導出時にフィルタに密着する払拭部が設けられているので、フィルタを導入，導出するときにフィルタに大きな力が掛かり、フィルタの網と枠との接合部が変形あるいは破断するなどのトラブルが起き易い。
【００１４】
上記の特許文献１〜３では、フィルタを取り外すことなしにフィルタに捕集された塵埃を取り除くに際して、いずれもブラシを使用しているが、ブラシによって取り除かれた塵埃はブラシの近傍に溜められるため、再付着が懸念されるものであった。
【００１５】
一方、特許文献４ではブラシでフィルタ面を払拭し、ブラシについたゴミは吸引ファンで吸引し、目の細かなフィルタで漉して排気している。したがって、特許文献１〜３のようなゴミの再付着が発生しにくいものである。しかし、吸引ファンの風でブラシについたゴミをブラシから引き剥がして吸引しなければならないため、風速を大きくする必要がある。すなわち、吸引ファンに要求される風圧が大きくなり、騒音や省エネの点で不利となる上、ブラシ部と吸引ファン部をつなぐ伸縮自在な吸引ダクトが必要となって、構造が複雑になり、信頼性が低下してくる。
【００１６】
本発明は上記課題に鑑みてなされたものであり、フィルタから取り除かれた塵埃の再付着を抑え、省エネにも好適な空気調和機を提供することを目的としている。
【課題を解決するための手段】
【００１７】
上記目的を達成するために、送風ファンと熱交換器の上流にフィルタを備え、このフィルタを通過した空気を熱交換して送風する空気調和機において、本発明の第一の態様は、
前記フィルタの上流側の面と接触して摺動する刷毛と、この刷毛と前記フィルタとの相対的な位置を移動させる移動手段と、前記刷毛と摺動して前記刷毛に付着した塵埃を前記刷毛から除去するとともにこの塵埃を付着させる除去ブラシと、前記除去ブラシと摺動して前記除去ブラシに付着した塵埃を保持する塵埃戻り防止ブラシとを備えたことを特徴としている。
【００１８】
本発明の第二の態様は、前記フィルタの上流側の面と接触，摺動し前記フィルタの塵埃を掃き出す刷毛と、この刷毛と前記フィルタとの相対的な位置を移動させる移動手段と、塵埃が付着した前記刷毛の摺動方向と反対の方向に傾斜植毛され前記刷毛と摺動して前記刷毛に付着した塵埃を前記刷毛から除去するとともにこの塵埃を付着させる除去ブラシと、前記除去ブラシの植毛方向側に位置し前記除去ブラシと摺動する塵埃戻り防止ブラシとを備え、
前記塵埃戻り防止ブラシは前記除去ブラシの植毛方向に傾斜して植毛され、前記除去ブラシが前記塵埃戻り防止ブラシ上を往復することを特徴としている。
【００１９】
本発明の第三の態様は、前記フィルタの上流側の面と接触，摺動し前記フィルタの塵埃を掃き出す刷毛と、
この刷毛を移動させる移動手段と、
前記フィルタの外側であって前記移動手段によって移動する前記刷毛の移動方向の延長上に位置し、回動可能に軸支された円筒状の円弧面において前記刷毛の移動方向と反対の方向に傾斜して植毛されたブラシ面を有し、前記刷毛と摺動して前記刷毛に付着した塵埃を前記刷毛から除去するとともにこの塵埃を付着させる除去ブラシと、
前記除去ブラシの回動位置において前記ブラシ面と対向し、かつ、前記除去ブラシの植毛の傾斜方向側に位置し、前記ブラシ面の植毛の傾斜方向に傾斜植毛され、前記ブラシ面と摺動する凹状のブラシ面を有する塵埃戻り防止ブラシと、を備え、
前記除去ブラシは前記刷毛と接触可能な位置と前記塵埃戻り防止ブラシのブラシ面と接触可能な位置との間を回動することを特徴としている。
【００２０】
また、上記の第一あるいは第二の態様を有するものにおいて、
前記刷毛は前記移動手段によって前記フィルタ上を往復し、
前記移動手段は、前記刷毛の往移動時に前記除去ブラシのブラシ面を超えて反フィルタ側まで前記刷毛を移動させ、前記刷毛の復移動時に前記除去ブラシのブラシ面と前記塵埃戻り防止ブラシのブラシ面とを摺動させることを特徴としている。
【００２１】
上記の第三の態様を有するものにあっては、
前記刷毛は前記移動手段によって前記フィルタ上を往復し、
前記移動手段は、前記刷毛の往移動時に前記除去ブラシのブラシ面を超えて反フィルタ側まで前記刷毛を移動させ、前記刷毛の復移動時に前記除去ブラシを回動させて前記除去ブラシのブラシ面と前記塵埃戻り防止ブラシのブラシ面とを接触，摺動させることを特徴としている。
【００２２】
さらには、
前記刷毛によって掻き出された塵埃を受け入れる開口部を、前記フィルタの外側であって前記移動手段によって移動する前記刷毛の移動方向の延長上に有し、
前記刷毛を支持する支持体と、
前記開口部を覆う位置において、前記除去ブラシを前記ブラシ面が前記刷毛と接触可能に露出する第一の回動位置と、前記塵埃戻り防止ブラシの凹状のブラシ面と接触する第二の回動位置との間を回動可能に軸支するブラシホルダーと、
前記ブラシホルダーと前記除去ブラシとの間に張架され前記除去ブラシを前記第一の回動位置側に付勢するばね部材と、前記刷毛の復移動時に前記支持体と当接して前記除去ブラシを前記第二の回転位置に導くレバー部材とを備え、
前記刷毛の復移動時に前記支持体が前記ブラシホルダー上を通過して前記レバー部材と前記支持体との当接が解除されると、前記ばね部材によって前記除去ブラシが前記第一の回動位置へと戻ることを特徴としている。
【００２３】
上記の態様を有する構成において、より好ましいさらなる具体的な態様は次の通りである。
【００２４】
（１）前記支持体には、往移動時における前記支持体の反進行方向側に、前記レバー部材と当接するレバー突起を備え、前記刷毛と前記除去ブラシのブラシ面とが当接した後に前記レバー部材と前記レバー突起とが当接すること。
【００２５】
（２）前記支持体は、前記刷毛と前記レバー突起との間に、前記刷毛の変形を抑制する刷毛押さえを備えたこと。
【００２６】
（３）前記除去ブラシは横長に取り付けられた前記フィルタの側方に設置され、前記移動手段は前記刷毛を前記フィルタ面に接触摺動させながら左右に移動させるものとし、前記除去ブラシのブラシ面の頂部は前記フィルタ面よりも前記刷毛側に位置すること。
【００２７】
（４）前記刷毛は前記フィルタ面に合わせて植毛領域が上下に延在するとともに、前記植毛領域の下端が前記除去ブラシ方向に曲げられること。
【００２８】
（５）前記除去ブラシのブラシ面の頂部を結ぶ外形線の側方投影を前記フィルタの表面の縦断面形状と合わせたこと。
【００２９】
（６）前記除去ブラシを複数有し、前記開口部を一又は複数有し、これらの複数の除去ブラシによって前記開口部が覆われ、かつ、前記複数の除去ブラシの回動軸方向がそれぞれ異なること。
【００３０】
（７）前記複数の除去ブラシの隣り合う端部は前記刷毛の移動方向に重複し、かつ、前記複数の除去ブラシのそれぞれが離れて設置されていること。
【００３１】
（８）前記フィルタは前記熱交換器の上流で前記空気調和機の前面側と上面側を覆う横長のフィルタであり、前記支持体は前記フィルタの短手方向に延伸し、
前記フィルタの外周を囲んでこのフィルタを支持する枠体と、前記フィルタの長手方向に延伸し前記支持体を保持して前記刷毛を左右に導く推進軸と、前記支持体を移動させるモータと、を備え、
前記枠体は前記支持体の上端部又は下端部を左右方向に移動可能に支持すること。
【００３２】
（９）前記モータは、前記除去ブラシと反対側の前記フィルタの側方に配置され、前記枠体に固定されるとともに前記推進軸に対して駆動力を付与すること。
【００３３】
掃除用刷毛の動作に関する構造としては、下記の態様が望ましい。すなわち、
（１）前記掃除用刷毛が反転移動する際に、該掃除用刷毛の毛先が開放される領域を設ける。
（２）前記掃除用刷毛が前記フィルタの清掃動作に先立つ前記掃除用刷毛の待機位置を、前記掃除用刷毛の毛先が開放される領域に設ける。
（３）前記掃除用刷毛の待機位置を、前記フィルタの網部を挟んで前記除去ブラシと反対側に設けたフィルタ面より通風の方向に窪ませた凹状部とする。
（４）前記フィルタと前記除去ブラシとの間に前記掃除用刷毛を開放する領域を設ける。
【発明の効果】
【００３４】
本発明によれば、フィルタから取り除かれた塵埃の再付着を抑え、省エネにも好適な空気調和機を提供することができる。
【発明を実施するための最良の形態】
【００３５】
以下、本発明の空気調和機の一実施例について図を用いて説明する。まず、空気調和機の全体構成を、図１〜図３を用いて説明する。図１は空気調和機の構成図である。図２は図１の室内機の内部正面図である。図３は実施例１の室内機の側断面図である。
【００３６】
図１において、符号１で総括的に示すのは空気調和機であり、室内機２と室外機６を接続配管８でつなぎ、室内を空気調和する。室内機２は筐体２１の中央部に室内熱交換器
３３を置き、室内熱交換器３３の下部にこの室内熱交換器３３の幅と略等しい長さの貫流ファン方式の送風ファン３１１を配置し、露受皿３５等を取付け、化粧枠２３で覆い、化粧枠２３の前面に前面パネル２５を取付けた構成になっている。化粧枠２３には室内空気を吸い込む空気吸込み口２７と、温湿度が調和された空気を吹き出す空気吹出し口２９とが上下に設けられ、送風ファン３１１からの吹出し気流を送風ファン３１１の長さに略等しい幅を持つ吹出し風路２９０に流し、吹出し風路２９０途中に配した左右風向板２９５で気流の左右方向を偏向し、更に、空気吹出し口２９につけた上下風向板２９１によって気流の上下方向を偏向し、室内に吹出している。
【００３７】
また、前面パネル２５の中央下部には運転状況を表示する表示部３９７と、別体のリモコン５からの赤外線の操作信号を受ける受光部３９６が配置されている。筐体２１には送風ファン３１１，フィルタ２３１，室内熱交換器３３，露受皿３５，上下風向板２９１，左右風向板２９５等の基本的な内部構造体が取付けられる。そして、筐体２１の内側に取付けられた送風ファン３１１等の基本的な内部構造体は、化粧枠２３を取付けることにより室内機２内に内包される。
【００３８】
化粧枠２３の下面に形成される空気吹出し口２９は、前面パネル２５との分割部に隣接して配置され、奥の吹出し風路２９０に連通している。２枚の上下風向板２９１は閉鎖状態で吹出し風路２９０をほぼ隠蔽して、室内機２の底面に連続した大きな曲面を形成する。そして、上下風向板２９１は両端部に設けた回動軸を支点にして、リモコン５からの指示に応じて、図示しない駆動モータにより、空気調和機の運転時に所要の角度回動し空気吹出し口２９を開き、その状態を保持する。空気調和機の運転停止時には、空気吹出し口２９を閉じるように制御される。
【００３９】
また、左右風向板２９５は下端部に設けた回動軸を支点にして、図示しない駆動モータにより回動可能に構成され、リモコン５からの指示に応じて回動してその状態を保持し、吹出し空気を左右の所望の方向に吹出させる。なお、リモコン５から指示することにより、空気調和機の運転中に上下風向板２９１，左右風向板２９５を周期的に揺動させ、室内の広範囲に周期的に吹出し空気を送ることもできる。
【００４０】
また、空気吸込み側の可動パネル２５１は図示しない駆動モータを回転させることにより、下部に設けた回動軸を支点として回動可能に構成され、空気調和機の運転時に前側空気吸込部２３０′を開き、前側空気吸込部２３０′からも室内空気を室内機内に吸引し、空気調和機の停止時には、前側空気吸込部２３０′を閉じるように制御される。
【００４１】
そして、本実施例に係る室内機２によれば、停止時は空気吹出し風路２９０と前側空気吸込部２３０′を上下風向板２９１と可動パネル２５１で隠蔽してインテリアに調和させている。運転時には上下風向板２９１，左右風向板２９５をリモコン５からの指示に応じて回動させる。これと共に、可動パネル２５１を開いて前側空気吸込部２３０′及び上側空気吸込部２３０から室内空気を吸込む。吸込んだ室内空気を内部の室内熱交換器３３で冷風または温風にして前記空気吹出し口２９から吹き出すことができる。
【００４２】
この空気調和機１を運転する時には、電源（図示せず）に接続してリモコン５を操作し、所望の冷房，除湿，暖房等の運転を行う。
【００４３】
冷房等の運転の場合、送風ファン３１１の前方の部分の室内熱交換器３３に室内空気を通すため、図３の如く、前面パネル２５の一部を構成する可動パネル２５１を回動させて開く。上側空気吸込部２３０及び開いた可動パネル２５１の奥の化粧枠２３の前側空気吸込部２３０′を通して室内熱交換器３３に室内空気を流通させる。
【００４４】
室内機２は、内部に図示しない電装品ボックスに制御基板を備え、該制御基板にマイコンが設けられる（図２に制御装置１０として図示）。該マイコンは図示しない室内温度センサー，室内湿度センサー等の各種のセンサーからの信号を受け、リモコン５からの操作信号を受光部３９６で受けると共に、室内送風ファン３１１，可動パネル駆動モータ，上下風向板駆動モータ，左右風向板駆動モータ等を制御し、且つ、室外機との通信を司るなど、室内機２を統括して制御する。
【００４５】
室内機２は、運転停止状態で、図３に一点鎖線で示すように、可動パネル２５１及び上下風向板２９１が閉鎖された状態となっている。この状態で、リモコン５から運転操作の信号がなされると、図示しないマイコンは、リモコン５からの操作信号または自動運転が設定されていれば各種センサからの情報に基づいて冷房、または暖房等の運転モードを決定する。該決定に基づいて可動パネル２５１及び上下風向板２９１を動作させて、気流の通路を開放状態にする。このとき、空気吸込み口２３０′が開放されるが室内からの視線は可動パネル２５１でさえぎられて室内機２の内部までは届かず、室内の雰囲気を崩すことは無い。
【００４６】
つまり、マイコンは、図示しない駆動モータを動作させ、上下風向板２９１，左右風向板２９５をリモコン５からの指示に対応した吹き出し角度まで回動する。また、マイコンは、前記上下風向板２９１の動作に連動して可動パネル２５１を開く可動パネル駆動モータを動作させる。
【００４７】
次に、マイコンは室内送風ファン３１１を回転させ、上側及び前側の空気吸込部２３０，２３０′から室内空気を吸込む。吸込んだ室内空気を室内熱交換器３３で温風または冷風とし、あるいは熱交換しないで上下風向板２９１，左右風向板２９５に沿って空気吹出し口２９から吹き出させるように制御する。一方、運転を停止する際は、室内送風ファン
３１１を停止した後に、可動パネル２５１の駆動モータ及び上下風向板２９１の駆動モータを逆回転させる。このようにすることで開の状態から閉の状態に戻すように制御する。
【００４８】
フィルタ２３１は室内熱交換器３３の吸込側を覆うように配置され、吸い込まれた室内空気中に含まれる塵埃を取り除くためのものである。送風ファン３１１は横長の貫流ファンで構成され、室内空気を空気吸込み口２７から吸い込んで空気吹出し口２９から吹き出すように室内機２内の中央に配置されている。室内熱交換器３３は送風ファン３１１の吸込側に配置され、略逆Ｖ字状に形成されている。
【００４９】
露受皿３５は室内熱交換器３３の前後両側の下端部下方に配置され、冷房運転時や除湿運転時に室内熱交換器３３に発生する凝縮水を受けるために設けられている。受けて集められた凝縮水はドレン配管３７を通して室外に排出される。これらによって、空調される室内空気を流す主風路が形成される。即ち、送風ファン３１１を運転することで、室内空気は空気吸込み口２７から吸い込まれ、フィルタ２３１を介し、室内熱交換器３３にて熱交換された後、空気吹出し口２９から室内に吹き出される。
【実施例１】
【００５０】
図２〜図１０及び図１３を用いて、実施例１の説明をする。図４（ａ）は実施例１の清掃機構斜視図、図４（ｂ）は集塵容器と掃除用刷毛の斜視図である。図５（ａ）は除塵ブラシの斜視図、図５（ｂ）は（ａ）のＡＡ断面図である。図６〜図９は除塵ブラシの動作説明図であり、図６（ａ）は掃除用刷毛の掃塵動作を示す説明図、図６（ｂ）は掃除用刷毛と除去ブラシとの摺接動作を示す説明図である。図７（ｃ）は掃除用刷毛と除去ブラシの摺接終了後、レバー突起が回動レバーを押す動作を示す説明図、図７（ｄ）はレバー突起が回動レバーを乗り越える動作を示す説明図である。図８（ｅ）はレバー突起が回動レバーを乗り越えた状態を示す説明図、図８（ｆ）は刷毛支持枠が反転して、回動レバーを反対側に押す動作を示す説明図である。図９（ｇ）はレバー突起が回動レバーを乗り越える動作を示す説明図、図９（ｈ）は刷毛支持枠がフィルタの清掃に向かう動作を示す説明図である。図１０は実施例１の除塵ブラシ部を正面から見た拡大図である。
【００５１】
実施例１では室内熱交換器３３の上流の上側空気吸込み部２３０と前側空気吸込み部
２３０′に面した直行する二面に、平面状のフィルタ２３１，２３１′を設ける。フィルタ２３１，２３１′は枠部材としての案内枠２３４に係着され、案内枠２３４は上側後部と前側下部にレール２３５，２３５′を、フィルタ２３１，２３１′の交叉部に推進軸
２４３を備える。
【００５２】
ここで、同一の機能を有する部分が上側フィルタ２３１用と、前側フィルタ２３１′用にある場合は、前側フィルタ２３１′用の部分に上側フィルタ２３１用の部分の符号に
「′」をつけて区別する。単に「フィルタ２３１」と記述した場合は、上側フィルタ231、あるいは上側と前側のフィルタの総称を示すこととする。以下、「′」については、他の部材についても同様である。
【００５３】
推進軸２４３は多角形断面を有し、案内枠２３４に設けた軸受２４５に軸支され、片側の軸受２４５を貫通した一端に取付けた歯車を介して、案内枠２３４に固定した移動用モータ２４２に連結される。推進軸２４３にはスクリュウ２４４，キャリッジ２６１が緩装され、スクリュウ２４４は案内枠２３４に設けられた、推進軸２４３と平行なラック237に噛合している。したがって、後述するように、推進軸２４３を軸として掃除用刷毛267が移動し、フィルタ面の清掃を行う。
【００５４】
キャリッジ２６１とレール２３５，２３５′との間には刷毛を支持する支持体たる刷毛支持枠２６２，２６２′が各々フィルタ２３１，２３１′を跨いで懸架され、刷毛支持枠２６２，２６２′にはフィルタ２３１，２３１′を掃いて掃除する掃除用刷毛２６７，
２６７′が取付けられている。
【００５５】
しかして、移動用モータ２４２を回転させることで、推進軸２４３，スクリュウ２４４が回転し、ラック２３７に沿って、スクリュウ２４４が移動用モータ２４２の回転方向に応じて左右方向に動き、キャリッジ２６１を移動させる。これにより、掃除用刷毛２６７，２６７′がフィルタ２３１，２３１′に摺接しながら掃くように移動し、フィルタ231，２３１′上の塵埃を掃除用刷毛２６７，２６７′に掃き取り、案内枠２３４の左部の除去ブラシ２７１，２７１′に移動させる。
【００５６】
掃除用刷毛２６７，２６７′の毛は例えばＪＩＳ  Ｓ３０１６に規定する毛の硬さ５０以下の柔らかな毛を使用し、フィルタ２３１，２３１′面に掃除用刷毛２６７，２６７′を押し付けて移動したときに、フィルタ２３１，２３１′が掃除用刷毛２６７，２６７′の押付けで変形した後も重複代が２mm以上確保できるようフィルタ２３１，２３１′の剛性に合わせて選定するのが良い。ここで重複代とは掃除用刷毛２６７，２６７′の毛が変形しないで真直ぐな状態と仮定したときのフィルタ面から毛先迄の長さを言う。
【００５７】
このように、掃除用刷毛２６７，２６７′に軟毛を使用するので、フィルタ２３１，
２３１′を変形させる力が小さく、フィルタ２３１，２３１′を片側から掃くだけでよく、フィルタ２３１，２３１′を裏側から支えなくてもフィルタ２３１，２３１′上の塵埃を掃き取ることができる。このため、掃除用刷毛２６７，２６７′でフィルタ２３１，
２３１′を掃引する時の駆動機構をフィルタ２３１，２３１′の片側だけに設ければ良くなるので駆動機構が大幅に簡略化される。
【００５８】
なお、本実施形態で用いられるブラシ部材としては、掃除用刷毛２６７，除去ブラシ
２７１，塵埃戻り防止ブラシ２７３などが挙げられるが、本明細書では、軟毛を備えてフィルタ面と接触，摺動するブラシ部材に関し、特に、刷毛と称することとする。ただし、フィルタ面の塵埃を付着できるものであれば、必ずしも軟毛である必要はなく、ブラシ部材としては共通の機能を有する。
【００５９】
次に、清掃機構の構成及び動作について上側の清掃機構を例に取り、図１３を用いて説明する。図１３は掃除用刷毛の毛先の動きを示す説明図である。図中の矢印は、「掃き取り時の刷毛支持枠移動方向」と「戻り時の刷毛支持枠移動方向」をそれぞれ示している。すなわち、前者は往移動あるいは順方向の移動と同義であり、後者は復移動あるいは逆方向の移動と同義である。
【００６０】
フィルタ２３１の右方には清掃動作が行われていない時に掃除用刷毛２６７が待機する待機部２３８がある。待機部２３８は図１３のＥ部に示す如く、フィルタの面より窪んだ凹所Ｅ２３４ｅが設けられ、フィルタ２３１に摺接している時に図１３のＤ部に示す如く曲げられた掃除用刷毛２６７が図１３のＥ部に示す如く開放されて真直ぐな状態に復元する。
【００６１】
これにより、掃除用刷毛２６７が待機している間、掃除用刷毛２６７を曲げる力が働かず、掃除用刷毛２６７に曲げ癖が付かない。また、フィルタ２３１部を移動した時にフィルタ２３１の網目で捻られたりして生ずる毛先の変形も復元し、整えられる。
【００６２】
このため、清掃動作の度に掃除用刷毛２６７がフィルタ２３１に所定の状態で接触して摺動し、清掃動作が安定し、所期の清掃性能を発揮できる。更に、待機部２３８では掃除用刷毛２６７の毛先が開放されるので、凹所Ｅ２３４ｅが無く毛先が曲がったままの場合に比べて、掃除用刷毛２６７が反転移動を開始する時に毛先が乱れて不要な力を掛けることが無いので掃除用刷毛２６７の駆動機構に余分な負荷を掛けず駆動機構の信頼性が向上する。
【００６３】
また、掃除用刷毛２６７の反転時に毛先に不要な力を掛けないので毛先の劣化が生じ難く、掃除用刷毛２６７を交換する間隔を長くすることができる。
【００６４】
また、フィルタ２３１と除去ブラシ２７１の間に凹所Ｂ２３４ｂが設けられている。凹所Ｂ２３４ｂの深さは、除去ブラシ面２７１ａが掃除用刷毛２６７側に最大露出となる除去ブラシ２７１の回動位置で、除去ブラシ面２７１ａの頂上部がフィルタ２３１面と略等しくなるようにし、掃除用刷毛２６７の毛先が凹所Ｂ２３４ｂの底部に届く範囲にする。
【００６５】
このようにすることにより、掃除用刷毛２６７をフィルタ２３１の掃引時以上には変形させること無く掃除用刷毛２６７を除去ブラシ２７１に摺接でき、掃除用刷毛２６７に過度の変形を与えることが無く、掃除用刷毛２６７の劣化を抑制できる。また、凹所B234bの深さの分だけ除去ブラシ２７１を掃除用刷毛２６７側に露出させることができ、除去ブラシ面２７１ａの面積が大きくなり、安定した塵埃２３６の除去性能を発揮することができる。
【００６６】
これが清掃動作する時には、待機部２３８に図１３のＥ部に示す如く待機していた掃除用刷毛２６７を駆動機構を運転して、フィルタ２３１を掃引するよう図１３のＣ部に示す如く移動させる。この時、掃除用刷毛２６７の毛先は凹所Ｅ２３４ｅの開放状態から傾斜Ｅ２３３ｅを通って突出しているフィルタ２３１面に徐々に毛先を曲げ変形させながら乗り上げ、フィルタ２３１としっかり摺接する。
【００６７】
掃除用刷毛２６７は除去ブラシ２７１の方向に移動しながらフィルタ２３１を掃引し、塵埃２３６を掃き取る。この動作によってフィルタ２３１の塵埃が掃除用刷毛２６７によって掻き取られる。フィルタ２３１の掃引を終了した掃除用刷毛２６７は、掃き取った塵埃２３６と共に、図１３のＢ部の位置に達し、凹所Ｂ２３４ｂで若干毛先の変形を開放され、除去ブラシ２７１に至り、除去ブラシ面２７１ａと有効に摺接しながら、塵埃２３６を除去ブラシ２７１に移載する。
【００６８】
次に、除去ブラシ２７１，２７１′，塵埃戻り防止ブラシ２７３，２７３′の構成及び動作について上側の除去ブラシ２７１，塵埃戻り防止ブラシ２７３を例にとって、図５〜図９を用いて説明する。尚、図６〜図９の各動作説明図には図６（ａ），図６（ｂ），図７（ｃ），図７（ｄ），図８（ｅ），図８（ｆ），図９（ｇ），図９（ｈ）の如く、動作順に（ａ）〜（ｈ）の図面番号を付している。
【００６９】
除去ブラシ２７１はフィルタ２３１の側方に設けられ、図５，図６（ａ）の如く、ブラシホルダー２７６に回動可能に軸支され、半円筒状をなしている。半円筒面の約半分の部分は傾斜植毛されたブラシ面２７１ａを構成し、他の半円筒面は非ブラシ面２７１ｂとなっている。傾斜植毛の方向は半円筒の軸に直角で、フィルタ２３１方向となっており、刷毛支持枠２６２の移動に伴って、フィルタ２３１に接触・摺動して掃除用刷毛２６７が掃き集めたフィルタ２３１上の塵埃を図６（ｂ）のようにブラシ面２７１ａに擦り付ける。
【００７０】
除去ブラシ２７１のブラシ面２７１ａの頂部とフィルタ２３１の位置関係としては、除去ブラシ２７１の設置位置は、横長に取り付けられたフィルタ２３１の側方である。そして、除去ブラシ２７１のブラシ面２７１ａの頂部は、フィルタ２３１面と同面、あるいは、フィルタ２３１面よりも掃除用刷毛２６７の根元側（図６〜図９の上方）に位置している。そして、掃除用刷毛２６７は、フィルタ２３１及び除去ブラシ２７１に対向して左右に移動するため、掃除用刷毛２６７によって集められた塵埃がブラシ面２７１ａに擦り付けられる。
【００７１】
掃除用刷毛２６７の移動方向とブラシ面２７１ａの傾斜植毛の方向が逆方向になるので、ブラシ面２７１ａは掃除用刷毛２６７が運んできた塵埃を掻き取り、ブラシ面２７１ａに保持する。２６８は刷毛押えであり、掃除用刷毛２６７の過度の変形を抑制し、掃除用刷毛２６７のフィルタ２３１を掃除する機能を低下させないためのものである。
【００７２】
刷毛支持枠２６２が更に左方に移動すると図７（ｃ）のように刷毛支持枠２６２のレバー突起２６９が除去ブラシ２７１と同軸に取付けられた回動レバー２７１ｃを押し、回動レバー２７１ｃを左方に押す。回動レバー２７１ｃは回動ばね２７１ｄを介して除去ブラシ２７１に取付けられ、回動ばね２７１ｄは回動レバー２７１ｃを時計回りの方向に付勢している。
【００７３】
回動レバー２７１ｃはレバー突起２６９に押されて、図７（ｄ）のように反時計方向に回動し、終には、レバー突起２６９が回動レバー２７１ｃを乗り越え、図８（ｅ）のように回動レバー２７１ｃは回動ばね２７１ｄの付勢力によって時計方向に逆回動してストッパ２７１ｆのところまで戻り、図６（ａ）と同じ位置になる。
【００７４】
刷毛支持枠２６２はレバー突起２６９が回動レバー２７１ｃを乗り越えたところで停止し、反転してフィルタ２３１方向に移動を始める。２７１ｅは除去ブラシ２７１に取付けられたひれであり、ブラシ面２７１ａに付着しなかった掃除用刷毛２６７の根元に近い部分の塵埃を掃き取るものである。
【００７５】
刷毛支持枠２６２はレバー突起２６９が回動レバー２７１ｃを乗り越えたところで停止するが、この部はブラシホルダー２７６の掃除用刷毛２６７側面より窪んだ凹所Ａ234aになっている。凹所Ａ２３４ａでは前述の待機部２３８の凹所Ｅ２３４ｅと同様に掃除用刷毛２６７の毛先は開放される。反転してフィルタ２３１方向に移動を始める。これにより、掃除用刷毛２６７が停止している間に、掃除用刷毛２６７は曲がった状態から真直ぐな状態に復元する。また、フィルタ２３１部を移動した時にフィルタ２３１の網目で捻られたりして生ずる毛先の変形も復元し、整えられる。更に、掃除用刷毛２６７が停止している間に毛先が開放されるので、凹所Ａ２３４ａが無く毛先が曲がったままの場合に比べて、掃除用刷毛２６７が反転移動を開始する時に毛先が乱れて不要な力を掛けることが無いので掃除用刷毛２６７の駆動機構に余分な負荷を掛けず駆動機構の信頼性が向上する。また、掃除用刷毛２６７の反転時に毛先に不要な力を掛けないので毛先の劣化が生じ難く、掃除用刷毛２６７を交換する間隔を長くすることができる。掃除用刷毛２６７が反転移動する時、掃除用刷毛２６７の毛先は凹所Ａ２３４ａの開放状態から傾斜Ａ２３３ａ，傾斜Ｂ２３３ｂを通って突出しているひれ２７１ｅ，フィルタ２３１面に徐々に毛先を曲げ変形させながら乗り上げ、フィルタ２３１としっかり摺接する。
【００７６】
次に刷毛支持枠２６２の移動方向が反転後の動作を図８，図９により説明する。
【００７７】
反転してフィルタ２３１方向に移動した刷毛支持枠２６２は図８（ｆ）のように、レバー突起２６９で回動レバー２７１ｃを右方向に押し、回動レバー２７１ｃを時計回り方向に回動させる。回動レバー２７１ｃは除去ブラシ２７１のストッパ２７１ｆを介して除去ブラシ２７１を時計回り方向に押し、除去ブラシ２７１は戻しばね２７７による反時計回り方向の付勢力に抗して回動する。
【００７８】
除去ブラシ２７１の回動に伴い、除去ブラシ面２７１ａが塵埃戻り防止ブラシ２７３の塵埃戻り防止ブラシ面２７３ａに接触しながらブラシホルダー２７６の内部に潜り込む。このとき、塵埃戻り防止ブラシ面２７３ａは押圧ばね２７８で除去ブラシ面２７１ａに押圧されているので、除去ブラシ面２７１ａと塵埃戻り防止ブラシ面２７３ａの摺接状態が常に保たれている。塵埃戻り防止ブラシ２７３の塵埃戻り防止ブラシ面２７３ａには除去ブラシ面２７１ａと接触及び摺動する位置で除去ブラシ面２７１ａの傾斜植毛の傾斜方向と同じ向きに傾斜植毛が施されている。このため、除去ブラシ面２７１ａがブラシホルダー２７６の内部に潜り込む時に、除去ブラシ面２７１ａに保持された塵埃も、塵埃戻り防止ブラシ面２７３ａの傾斜植毛に妨げられることなくブラシホルダー２７６の内部に潜り込む。
【００７９】
回動レバー２７１ｃはレバー突起２６９に押されて、図９（ｇ）のように時計方向に回動し、終には、レバー突起２６９が回動レバー２７１ｃを乗り越える。レバー突起２６９が回動レバー２７１ｃを乗り越えると、図９（ｈ）のように回動レバー２７１ｃは、戻しばね２７７の付勢力によって反時計方向に回動し、ひれ２７１ｅがブラシホルダー２７６の開口縁に当たり、この開口縁がストッパ代わりとなって、図５（ｂ）と同じ状態になる。その後、図６（ａ）に示すように掃除用刷毛２６７がフィルタ２３１の塵埃を運んでくるのに備えて待機する。
【００８０】
上記除去ブラシ２７１が反時計方向に回動するときに、塵埃戻り防止ブラシ面２７３ａの傾斜植毛の方向が除去ブラシ２７１の回動方向と逆になるので、図８（ｆ），図９(ｇ)で除去ブラシ２７１に保持されていた塵埃は、塵埃戻り防止ブラシ面２７３ａに掻き取られる。
【００８１】
この掻き取られた塵埃２３６は、最初は塵埃戻り防止ブラシ面２７３ａの傾斜植毛部に大部分が絡み付いて、保持されている。しかし、掃除用刷毛２６７が次に、往復すると、除去ブラシ２７１と塵埃戻り防止ブラシ２７３が再度摺接する。この時、図８（ｆ），図９（ｇ）のように、新たな塵埃２３６が、除去ブラシ２７１によってブラシホルダー276の内部に潜り込むと同時に塵埃戻り防止ブラシ面２７３ａの傾斜植毛部に絡み付いている塵埃２３６を除去ブラシ面２７１ａの内方端部が掻き取って、ブラシホルダー２７６の更に内部に潜り込ませる。
【００８２】
この更に潜り込んだ塵埃２３６は図９（ｈ）のようにレバー突起２６９が回動レバー
２７１ｃを乗り越えて除去ブラシ２７１が元の状態に戻る時に、再度塵埃戻り防止ブラシ面２７３ａの内方端部に掻き取られる。このように、塵埃戻り防止ブラシ面２７３ａの内方端部に掻き取られた塵埃２３６は、掃除用刷毛２６７の往復に伴う、除去ブラシ２７１の回動毎に、塵埃戻り防止ブラシ２７３と除去ブラシ２７１の間の移動を繰返し、その一部は移動に失敗してブラシホルダー２７６の内部に落下する。
【００８３】
除去ブラシ２７１の回動を繰り返すことで新たな塵埃２３６を次々加えながら塵埃戻り防止ブラシ２７３と除去ブラシ２７１の間を移動する塵埃２３６の量が増えるに伴って、塵埃戻り防止ブラシ２７３と除去ブラシ２７１の間の移動に失敗する塵埃２３６も多くなり、次々とブラシホルダー２７６の内部に落下する。このため、長い時間の間隔で見ると掃除用刷毛２６７で掃き取られたフィルタ２３１の塵埃２３６は粛々とブラシホルダー
２７６の内部に落下してゆき、ブラシホルダー２７６の内部から逆流してくることは無い。
【００８４】
このように、塵埃戻り防止ブラシ２７３に掻き取られた塵埃は、次回以降の図８（ｅ），図８（ｆ），図９（ｇ），図９（ｈ）に示す除去ブラシ２７１の往復動作で、除去ブラシ２７１が塵埃戻り防止ブラシ面２７３ａの傾斜植毛の方向に摺動して回動する際に、及び、除去ブラシ２７１が塵埃戻り防止ブラシ面２７３ａの傾斜植毛の方向と逆方向に摺動して回動する際にブラシホルダー２７６の内部に押し出される。これによって、塵埃がブラシホルダー２７６の内部に留まる。このように、一旦、掃除用刷毛２６７に掃き取られた塵埃は除去ブラシ２７１，塵埃戻り防止ブラシ２７３で掻き取られ、ブラシホルダー
２７６の内部に留まり、フィルタ２３１面に再付着することは無い。また、ブラシホルダー２７６は底部が開口していて、この底部開口は集塵容器２８１の集塵開口２８１ａに対向している。
【００８５】
次に掃除用刷毛２６７は清掃時とは逆向きに毛先を変形させてフィルタ２３１に摺接しながら移動し、待機部２３８に向かう。このように、掃除用刷毛２６７は往復で毛先の曲げ方向が逆になるので、片方向でしか摺接させない時に比べて、曲げの癖が付き難く、毎回、フィルタ２３１を押す力を一定にすることができる。このため、フィルタ２３１を清掃する能力を長期間維持することができる。
【００８６】
この除去ブラシ２７１，２７１′は前述したように、フィルタ２３１，２３１′の各々の側方に設けられ、本実施例では上側フィルタ２３１，前側フィルタ２３１′の左方に上側除去ブラシ２７１，前側除去ブラシ２７１′が各々のフィルタ面に平行に、設けられている。上側除去ブラシ２７１の下方、前側除去ブラシ２７１′の後方には集塵容器２８１が置かれ、集塵容器２８１には上側除去ブラシ２７１，前側除去ブラシ２７１′が回動してブラシホルダー２７６，２７６′の内部に潜り込んだ時にその各々に対向するように集塵開口２８１ａ，２８１ａ′が集塵容器２８１の上方から前方の位置に開設されている。
【００８７】
このため、ブラシホルダー２７６の内部で塵埃戻り防止ブラシ面２７３ａに掻き取られた塵埃は、次々に運ばれてくる塵埃に押されて、塵埃戻り防止ブラシ面２７３ａから離れ、ブラシホルダー２７６内を落下する。落下した塵埃は対向している集塵開口２８１ａ，２８１ａ′を通り、集塵容器２８１に集塵される。集塵容器２８１の下部前方には塵埃排出口２８１ｂが設けられ、そこに蓋体２８４で塞ぎ、通常の使用時に集塵容器２８１内の塵埃が周囲に飛散しないようにしている。
【００８８】
また、集塵容器２８１内の塵埃を捨てる場合は、蓋体２８４を外し、塵埃排出口281bから内部の塵埃を掻き出す。このとき、塵埃排出口２８１ｂの形状を電気掃除機の吸口に合う形状にしておくと、電気掃除機での集塵容器２８１の清掃が容易になる。
【００８９】
尚、このとき、掃除用刷毛２６７′の下端を前記フィルタ２３１′の吸込み面下端より下方にし、除去ブラシ２７１′の掃引部に露出する回動位置での除去ブラシ面２７１ａ′の下端を掃除用刷毛２６７′の下端より下方又は同一高さとし、塵埃戻り防止ブラシ
２７３′の塵埃戻り防止ブラシ面２７３ａ′の下端を除去ブラシ２７１′の除去ブラシ面２７１ａ′の下端より下方又は同一高さとし、集塵開口２８１ａ′の下端を塵埃戻り防止ブラシ２７３′の塵埃戻り防止ブラシ面２７３ａ′の下端より下部にし、且つ、塵埃排出口２８１ｂの下端を集塵開口２８１ａ′の下端より下方にする。
【００９０】
これにより、掃除用刷毛２６７′でフィルタ２３１′面から掃き取った塵埃は全て、除去ブラシ２７１′で掻き取られ、塵埃戻り防止ブラシ２７３′に送られ集塵開口281a′を介して集塵容器２８１に貯留され、貯留された塵埃が適宜な量に達したときには集塵容器２８１の蓋体２８４を開け、内部の塵埃を塵埃排出口２８１ｂから取り出し、廃却する。
【００９１】
このため、フィルタ２３１′の塵埃が空気調和機内部で散乱するのを抑制できる。
【００９２】
尚、掃除用刷毛２６７，２６７′に電気絶縁性を持たせ、刷毛押え２６８，２６８′を導電性にしておき、掃除用刷毛２６７，２６７′でフィルタ２３１，２３１′を掃引するときに刷毛押え２６８，２６８′に電圧を印加し、刷毛押え２６８，２６８′とフィルタ２３１，２３１′上の塵埃との間に静電界を生成し、静電吸着力で塵埃を掃除用刷毛267，２６７′に吸着させるのも良い。
【００９３】
尚、実施例ではフィルタ２３１として樹脂製のフィルタ２３１を念頭において説明したが、フィルタ２３１をステンレス製にしたり、塵埃２３６の付着面を樹脂製の網にステンレスの粒子をスパッタリングなどの方法により被覆したものにするのも良い。このようにすることにより、塵埃２３６とフィルタ２３１との付着性が減少し、掃除用刷毛２６７をわずかな力で押付けることで塵埃２３６を掃き取ることができるようになる。また、網をステンレス製にすると強度が増し、変形し難くなるので、フィルタ２３１とその裏にある室内熱交換器３３との距離を小さくすることもでき、室内機２の小型化に有効である。また、樹脂製のフィルタ２３１を使用した時に生ずる、樹脂繊維でできた軟毛性の掃除用刷毛２６７の樹脂成分がフィルタ２３１に移行して、フィルタ２３１面の粗れや毛先の変形などの、不具合を起こす恐れも無くなる。
【実施例２】
【００９４】
実施例２は曲線状の断面を持つフィルタを持つ空気調和機に本発明を適用したものである。図１１，図１２を用いて実施例２を説明する。説明は実施例１と相違する点を重点的に説明し、実施例と同様な構成で、同様な動作をし、同様な結果を得るものについては説明を省略している。図１１は実施例２の室内機の側断面図である。図１２は実施例２の除塵ブラシ部を正面から見た拡大図である。
【００９５】
図１１において、２３１は曲線状の断面をしたフィルタ、２６７はフィルタ２３１の曲線状の断面に合わせて曲線状に形成した掃除用刷毛、２６２は掃除用刷毛２６２を支持する刷毛支持枠、２３４は刷毛支持枠２６２の移動を案内する案内枠、２３５，２３５′は案内枠２３４に設けたレール、２４３は刷毛支持枠２６２と一体になったキャリッジを駆動する推進軸である。
【００９６】
また、図１２において、２７１，２７１′はフィルタ２３１の方向から見て外形線がフィルタ２３１の曲線断面に合致するような外形を有する略紡錘体を半割にした形状をした除去ブラシである。除去ブラシ２７１，２７１′は一部に除去ブラシ面２７１ａ，271a′が設けられている。また、除去ブラシ面２７１ａ，２７１ａ′は掃除用刷毛２６７側に露出した位置でフィルタ２３１の曲線形状に合わせた掃除用刷毛２６７に接触，摺動するようになっている。この除去ブラシ面２７１ａ，２７１ａ′には、除去ブラシ面２７１ａ，２７１ａ′がブラシホルダー２７６内部へ潜り込む回動方向に傾斜植毛がなされている。
【００９７】
２７３，２７３′は塵埃戻り防止ブラシであり、除去ブラシ面２７１ａ，２７１ａ′と一様に摺接する塵埃戻り防止ブラシ面２７３ａ，２７３ａ′を有している。２７６はブラシホルダーであり、掃除用刷毛２６７が除去ブラシ面２７１ａ，２７１ａ′に接触及び摺動するのを妨げないように外表面の断面形状をフィルタ２３１の曲線形状に合わせてある。ブラシホルダー２７６の内側には集塵容器２８１が設けられ、除去ブラシ２７１,271′と対向する位置に集塵開口２８１ａ，２８１ａ′が実施例１と同様に設けられている。
【００９８】
上側除去ブラシ２７１の前部と前側除去ブラシ２７１′の上部は刷毛支持枠２６２の移動方向に離間し、前後方向，上下方向共に重なり合い、フィルタ２３１方向から見た外形線が滑らかに連続するように配置されている。これにより、除去ブラシ面２７１ａ，
２７１ａ′は掃除用刷毛２６７の全長に渡って必ず接触，摺接し、掃除用刷毛２６７がフィルタ２３１から掃き取った塵埃を確実に掻き取り、除去ブラシ面２７１ａ，２７１ａ′に保持する。
【００９９】
このように構成することにより、フィルタ２３１の形状が室内熱交換器３３の形状に応じて、曲線状の断面をしている場合でも、実施例１と同様の動作により、フィルタ２３１を清掃し、塵埃を集塵容器２８１に収容することができ、実施例１と同様の効果を得ることができる。
【０１００】
尚、このとき、フィルタ２３１として導電性のフィルタを用いて集塵電極とし、フィルタ２３１の吸込み面側に放電電極を配置した電気集塵装置を備え、掃除用刷毛２６７を移動するときに放電電極と集塵電極間に高電圧を印加する。
【０１０１】
これにより、上下方向に落差を持つフィルタ２３１面についた塵埃が掃除用刷毛２６７で掃き取られずに落下してしまう場合でも、塵埃が落下する途中で集塵電極に吸着される。吸着された塵埃は掃除用刷毛２６７の次の掃引時に再度掃除用刷毛２６７で掃き取られる機会が生ずる。
【０１０２】
このため、フィルタ２３１の塵埃が空気調和機内部で掃除用刷毛２６７の掃引範囲外に散乱するのが抑制される。
【０１０３】
また、掃除用刷毛２６７を移動するときに送風ファン３１１を運転する。
【０１０４】
これにより、上下方向に落差を持つフィルタ２３１面についた塵埃が掃除用刷毛２６７で掃き取られずに落下してしまう場合でも、塵埃が落下する途中で気流によってフィルタ２３１面に再付着する。付着した塵埃は掃除用刷毛２６７の次の掃引時に再度掃除用刷毛２６７で掃き取られる機会が生ずる。
【０１０５】
このため、フィルタ２３１の塵埃が空気調和機内部で掃除用刷毛２６７の掃引範囲外に散乱するのが抑制される。
【０１０６】
上記の実施形態は、送風ファンと熱交換器の上流にフィルタを備える空気調和機において、次の特徴を有するものである。すなわち、フィルタ２３１の掃除を行う軟毛を使用した掃除用刷毛２６７と、掃除用刷毛２６７が移動することにより掃除用刷毛２６７に付着した塵埃を除去する傾斜植毛を施した除去ブラシ２７１と、掃除用刷毛２６７を除去ブラシ２７１に摺接可能にする移動手段と、集塵開口を備え除去した塵埃を貯留する集塵容器２８１と、除去ブラシ２７１で除去した塵埃を集塵開口に移送する手段と、移送された塵埃の戻りを防止する傾斜植毛を施した排出部が集塵開口に対向する塵埃戻り防止ブラシ
２７３と、除去ブラシ２７１を塵埃戻り防止ブラシ２７３に摺接させる機構とを有する。
【０１０７】
一般に、空気調和機に使用されるフィルタは塵埃を効果的に捕集できるように細い線を細かに編んだ網が用いられ、更に、費用を抑制するためプラスチクス製のものが多用されている。また、通風抵抗を少なくするため、網の変形を抑制する枠もできる限り細く、数も最小限にとどめられている。このため、フィルタを掃除しようとしてフィルタ面にブラシ等を強く押し付けるとフィルタが変形して、ブラシが強く当たる所と、弱く当たる所ができ、フィルタ面の掃除が不均一になる。
【０１０８】
しかし、本実施形態によれば、フィルタ面を軟毛の刷毛で掃くことでフィルタの変形がほとんど無い状態でフィルタを掃除することができ、フィルタ面の塵埃は軟毛の刷毛に掃き取られフィルタは均一に清掃される。また、軟毛の刷毛に掃き取られた塵埃は軟毛の刷毛を除去ブラシに接触して摺動することで除去ブラシに掻き取られる。
【０１０９】
次に、除去ブラシに掻き取られた塵埃は、塵埃戻り防止ブラシに除去ブラシを摺接させることで、塵埃は除去ブラシに保持されたまま、除去ブラシと塵埃戻り防止ブラシの摺接面へと押し込まれる。その後、摺接面に入った塵埃が、除去ブラシと塵埃戻り防止ブラシにより、次々に奥に押し込まれ、塵埃戻り防止ブラシの排出側、つまり、集塵容器の集塵開口に達し、次々に押し込まれてくる塵埃に押されて集塵容器の中に落下し貯留される。
【０１１０】
このため、フィルタに捕集された塵埃をフィルタを外すことなしに掃除して集塵容器に貯留することができる空気調和機を得ることができる。
【０１１１】
また、集塵容器２８１は内部が空洞状とされ下方に塵埃排出口と上方から前方の範囲に集塵開口とを備え、除去ブラシ２７１は回動可能に枢支され、外周の一部に回動方向に傾斜して植毛されたブラシ面２７１ａを有し、回動の一の位置で集塵開口にブラシ面271aの一端を露出し、回動の他の位置でブラシ面２７１ａの他端を掃除用刷毛２６７の掃引部に露出する如く構成され、塵埃戻り防止ブラシ２７３は少なくとも一部が除去ブラシ２７１の回動時にブラシ面２７１ａと摺接可能な除去ブラシ２７１の回動方向に凹状で、除去ブラシ２７１と同方向に傾斜して植毛されたブラシ面２７３ａを有すると共に、掃除用刷毛２６７を支持する支持枠２６２と、掃除用刷毛２６７がフィルタ吸込み面に摺接する如く、また、除去ブラシ２７１に摺接する如く支持枠２６２を移動可能に案内する案内枠234と、塵埃戻り防止ブラシ２７３のブラシ面２７３ａを除去ブラシ２７１のブラシ面271aに押圧する如く付勢するばね体２７８と、容器の前記塵埃排出口を覆う蓋体と、除去ブラシ２７１と連結された除去ブラシ回動レバー２７１ｃとを備える。
【０１１２】
これにより、掃除用刷毛２６７の支持枠２６２を案内枠２３４に沿って移動することで、掃除用刷毛２６７に掃き取られたフィルタ２３１の塵埃は、傾斜植毛された除去ブラシ２７１の逆傾斜植毛部に掻き取られる。そして、除去ブラシ２７１に掻き取られた塵埃は、支持枠２６２の逆方向への移動により除去ブラシ回動突起を回動させることで除去ブラシ２７１を回動させ、除去ブラシ２７１と同方向に傾斜植毛された塵埃戻り防止ブラシ
２７３に除去ブラシ２７１を摺接させることで、塵埃は除去ブラシ２７１に保持されたまま、除去ブラシ２７１と塵埃戻り防止ブラシ２７３の摺接面に押し込まれる。
【０１１３】
ここで、除去ブラシ２７１と塵埃戻り防止ブラシ２７３のブラシ面はばね体２７８で押圧されているので接触面に入った塵埃は、除去ブラシ２７１の逆方向の移動時に、塵埃戻り防止ブラシ２７３の傾斜植毛部に掻き取られ、その場に留まる。
【０１１４】
除去ブラシ２７１と塵埃戻り防止ブラシ２７３の摺動を方向を換えて繰り返すことで、摺接面の塵埃は、次々に奥に押し込まれ、塵埃戻り防止ブラシ２７３の反対側、つまり、集塵容器２８１の集塵開口に達し、次々に押し込まれてくる塵埃に押されて集塵容器の中に落下し貯留される。
【０１１５】
貯留された塵埃が適宜な量に達したときには集塵容器の蓋体を開け、内部の塵埃を取り出し、廃却する。
【０１１６】
このため、フィルタに捕集された塵埃をフィルタを外すことなしに掃除して集塵容器まで運搬し、貯留し、廃却することができる空気調和機を得ることができる。
【０１１７】
また、除去ブラシ２７１を複数有し、集塵容器２８１に複数の除去ブラシに対向する集塵開口を有し、複数の除去ブラシの軸方向が異なることとすれば、熱交換器の断面形状が屈曲していて、フィルタ２３１の断面が直線で無い場合も、その形状に合わせて除去ブラシ２７１を設置することで、掃除用ブラシ（掃除用刷毛２６７）で集めた塵埃を除去ブラシ２７１で掻き取り、塵埃戻り防止ブラシ２７３，集塵開口を介して集塵容器２８１に送り込むことができる。
【０１１８】
このため、断面形状が屈曲したフィルタ２３１を使用している場合でもフィルタに捕集された塵埃をフィルタ２３１を外すことなしに掃除して集塵容器２８１まで運搬し、貯留し、廃却することができる空気調和機を得ることができる。
【０１１９】
また、掃除用刷毛２６７の移動方向から見た複数の除去ブラシ２７１の掃引部に露出する回動位置でのブラシ面２７１ａの外形線を、フィルタ２３１の対応する部分の断面形状に近似させることにより、熱交換器の断面形状が屈曲していて、フィルタ２３１の断面が湾曲している場合も、その形状に合わせた除去ブラシ２７１を設置することで、掃除用ブラシ（掃除用刷毛２６７）で集めた塵埃を除去ブラシ２７１で確実に掻き取ることができ、塵埃戻り防止ブラシ２７３，集塵開口を介して集塵容器２８１に送り込むことができる。
【０１２０】
したがって、フィルタを外すことなしに掃除して集塵容器まで運搬し、貯留し、廃却することができる空気調和機を得ることができる。
【０１２１】
また、フィルタ２３１を案内枠２３４で支持すると共に、刷毛支持枠２６２を移動させる動力の伝達機構を案内枠２３４で支持することにより、刷毛支持枠２６２に取り付けた掃除用刷毛２６７とフィルタ２３１面との距離が精度よく一定に保たれ、掃除用刷毛267がフィルタ２３１面を均一に掃引する。
【０１２２】
このため、フィルタ面の塵埃は掃除用刷毛２６７に掃き取られ、フィルタは均一に清掃され、局部的に塵埃の未清掃部分が生ずることがない空気調和機を得ることができる。
【０１２３】
また、前方部の掃除用刷毛２６７′の下端を除去ブラシ２７１方向に曲げて設置することにより、掃除用刷毛２６７′でフィルタ２３１′面を掃引するときに、掃除用刷毛
２６７′の上部で掃き取れなかった塵埃が落下しても下端の掃除用刷毛（２６７ａ部）で捕獲され、除去ブラシ２７１に掻き取られ、集塵容器２８１に貯留される。
【０１２４】
このため、フィルタの塵埃が掃除用刷毛の周囲に散乱するのを抑制する空気調和機を得ることができる。
【０１２５】
また、隣合う除去ブラシ２７１の間の隣合う端部の、掃除用刷毛２６７の移動方向から見た投影が重なる如く構成すると共に、該隣合う端部が掃除用刷毛２６７の移動方向に離間する如く構成することにより、除去ブラシ２７１の継ぎ目に対応する部分にも掃除用刷毛２６７及びフィルタ２３１を設けることができる。したがって、フィルタ２３１の面積を拡げて通風抵抗を下げることで風量や騒音などの送風性能を改善できる。
【０１２６】
また、掃除用刷毛２６７の移動方向に除去ブラシ２７１の端部の位置をずらしたことにより、継ぎ目部分の除去ブラシ２７１の回動軸の支持方法が単純化され、信頼性があがり、制作上の困難も少なくできる。
【０１２７】
このため、フィルタの清掃機構を搭載しても性能の悪化や構造の複雑化が少なく、外形寸法の増大を抑制できる空気調和機を得ることができる。
【０１２８】
また、除去ブラシ２７１はブラシ面２７１ａと非ブラシ面２７１ｂを有し、掃除用刷毛２６７の除去ブラシ側反転時に除去ブラシ２７１のブラシ面２７１ａと非ブラシ面271bが切換わって掃除用刷毛２６７側に露出する。これにより、除去ブラシ２７１のブラシ面
２７１ａが掃除用刷毛２６７側に露出しているときに、掃除用刷毛２６７を除去ブラシ
２７１のブラシ面２７１ａに接触しながら移動させることで、掃除用刷毛２６７が掃き取った塵埃を除去ブラシ２７１で掻き取り、除去ブラシ２７１の非ブラシ面２７１ｂが掃除用刷毛２６７側に露出しているときに、掃除用刷毛２６７を逆方向に移動させることで、逆方向移動時にブラシ面に接触することが無い。したがって、一旦ブラシ面についた塵埃を掃除用刷毛２６７で掃き取ることが無い。
【０１２９】
このため、ブラシ面２７１ａについた塵埃をフィルタ２３１側に逆に持ち帰ってフィルタ２３１を汚すことが無くなり、フィルタ２３１の清掃に支障の出ることが無い空気調和機を得ることができる。
【０１３０】
また、除去ブラシ２７１のブラシ面２７１ａが掃除用刷毛２６７側に露出している回動位置で、除去ブラシ２７１の植毛の傾斜方向をフィルタ２３１がある方向とする。これにより、掃除用刷毛２６７がフィルタ２３１から除去ブラシ２７１に近づく掃塵方向の移動のときにその前面を除去ブラシ２７１に摺接することで、掃除用刷毛２６７が掃塵方向の移動で近づきながらその前面で掃き取った塵埃を除去ブラシ２７１に手際よく掻き取らせることができる。
【０１３１】
このように、掃除用刷毛２６７によるフィルタの掃塵から除去ブラシによる塵埃の掻き取りまでが最短の時間で行われ、掃き取った塵埃が周囲に散乱する機会が最小になる。このため、フィルタの塵埃が空気調和機内部で散乱するのが抑制される空気調和機を得ることができる。
【０１３２】
また、掃除用刷毛２６７が往移動から復移動へと反転移動する際に、掃除用刷毛２６７の毛先が開放される領域を設けることにより、掃除用刷毛２６７がフィルタ２３１を掃引し、フィルタ２３１の網端部を通過した後、毛先の開放部に達する。この場所では、毛先はフィルタ２３１面からも他の部材面からも開放され、掃除用刷毛２６７の弾力により真直ぐになり、掃除用刷毛２６７の移動方向が逆転して再度フィルタ２３１面を掃引するときも掃除用刷毛２６７の曲がり方向がスムーズに反転する。
【０１３３】
このため、掃除用刷毛２６７の反転時に不要の負荷を駆動機構に与える恐れが無い空気調和機を得ることができる。
【０１３４】
また、掃除用刷毛２６７がフィルタ２３１の清掃動作に先立つ掃除用刷毛２６７の待機位置を掃除用刷毛２６７の開放領域に設けることにより、掃除用刷毛２６７は刷毛が開放された位置で待機するので、刷毛に曲げ癖が付かず常に同じ強さでフィルタ２３１面を掃引する。また、開放位置以外を掃引中は移動方向に応じて、掃除用刷毛２６７の曲がる方向が逆転するので掃除用刷毛２６７は片方向に偏った曲げを受けることがなく、この点からも掃除用刷毛に癖が付き難くなる。
【０１３５】
このため、常に一定の力でフィルタ２３１面を掃引することができ、清掃性能を長期間維持できる空気調和機を得ることができる。
【０１３６】
また、掃除用刷毛２６７の待機位置を、フィルタ２３１網部を挟んで除去ブラシ２７１と反対側（図２中の右側）に設けられ、フィルタ２３１面より通風の方向に窪ませた凹状部としたことにより、フィルタ２３１を清掃するときには、掃除用刷毛２６７を待機位置であるフィルタ２３１を挟んで除去ブラシ２７１と反対側から除去ブラシ２７１に向かってフィルタ２３１を掃引するのでフィルタ２３１に付着している塵埃は掃除用刷毛２６７に掃き取られて除去ブラシ２７１に運ばれ、除去ブラシ２７１に掻き取られる。
【０１３７】
次に、掃除用刷毛２６７は反転し、このときには刷毛の毛先が開放され、掃除用刷毛
２６７の移動に合わせて掃除用刷毛２６７の曲げ方向がスムーズに逆転してフィルタ231を逆方向に掃引する。このとき、フィルタ２３１は順方向（往移動時）の掃引で清掃されているので、フィルタ２３１にはほとんど塵埃はなく、掃除用刷毛２６７にもほとんど塵埃は付着せずに、上記の待機位置まで戻り、毛先が開放された状態で次の清掃まで待機する。したがって、フィルタ２３１に付着した塵埃は効率よく除去ブラシ２７１に掻き取られ、フィルタ２３１が清潔に保たれる空気調和機を得ることができる。
【０１３８】
また、フィルタ２３１と除去ブラシ２７１との間に掃除用刷毛２６７を開放する領域を設けることにより、掃除用刷毛２６７を除去ブラシ２７１に摺接させる前に、一旦、掃除用刷毛２６７を開放し、フィルタ掃引で生じた毛先の捩れや乱れを整える。また、除去ブラシ２７１のブラシ面２７１ａを掃除用刷毛２６７の開放凹部より突出させて掃除用刷毛を除去ブラシに確実に接触，摺動させると共に、除去ブラシ２７１のブラシ面２７１ａをフィルタ２３１面より突出させることなく設置できる。このため、掃除用刷毛の毛先の変形を最小限にすると共に、除去ブラシのブラシ面の突出を抑制でき、室内機を小型化できる空気調和機を得ることができる。
【０１３９】
上記の実施形態では、フィルタ２３１の側方に除去ブラシ２７１を取り付け、掃除用刷毛２６７を左右に移動させる構成を採用した例を示している。しかしながら、フィルタ
２３１，除去ブラシ２７１，集塵容器２８１，掃除用刷毛２６７、及びフィルタ２３１と掃除用刷毛２６７とを相対的に移動させる機構を備えた構成であれば、移動の方向は異なっていても差し支えない。例えば、掃除用刷毛２６７を上下に移動させる構成であっても、同様の集塵構造を備えることで、フィルタの清掃が可能である。
【図面の簡単な説明】
【０１４０】
【図１】空気調和機の構成図。
【図２】図１の室内機の内部正面図。
【図３】実施例１の室内機の側断面図。
【図４】実施例１の清掃機構斜視図。
【図５】除塵ブラシの斜視図及び拡大断面図。
【図６】除塵ブラシの動作説明図１。
【図７】除塵ブラシの動作説明図２。
【図８】除塵ブラシの動作説明図３。
【図９】除塵ブラシの動作説明図４。
【図１０】実施例１の除塵ブラシ部を正面から見た拡大図。
【図１１】実施例２の室内機の側断面図。
【図１２】実施例２の除塵ブラシ部を正面から見た拡大図。
【図１３】掃除用刷毛の毛先の動きを示す説明図。
【符号の説明】
【０１４１】
１…空気調和機、２…室内機、５…リモコン、６…室外機、８…接続配管、１０…制御装置、２１…筐体、２３…化粧枠、２５…前面パネル、２７…空気吸込み口、２９…空気吹出し口、３３…室内熱交換器、３５…露受皿、３７…ドレン配管、２３０，２３０′…空気吸込み部、２３１，２３１′…フィルタ、２３２，２３２′…フィルタ枠、２３３ａ…傾斜Ａ、２３３ｂ…傾斜Ｂ、２３３ｅ…傾斜Ｅ、２３４…案内枠、２３４ａ…凹所Ａ、２３４ｂ…凹所Ｂ、２３４ｅ…凹所Ｅ、２３５，２３５′…レール、２３６…塵埃、237…ラック、２３８，２３８′…待機部、２４１…移動手段、２４２…移動用モータ、２４３…推進軸、２４４…スクリュウ、２４５…軸受、２５１…可動パネル、２６１…キャリッジ、２６２，２６２′…刷毛支持枠、２６７，２６７′…掃除用刷毛、２６７ａ…刷毛曲げ部、２６８，２６８′…刷毛押え、２６９，２６９′…レバー突起、２７１，271′…除去ブラシ、２７１ａ，２７１ａ′…除去ブラシ面、２７１ｂ，２７１ｂ′…非ブラシ面、２７１ｃ，２７１ｃ′…回動レバー、２７１ｄ…回動ばね、２７１ｅ，２７１ｅ′…ひれ、２７１ｆ，２７１ｆ′…ストッパ、２７３，２７３′…塵埃戻り防止ブラシ、273a，２７３ａ′…塵埃戻り防止ブラシ面、２７６，２７６′…ブラシホルダー、２７７，
２７７′…戻しばね、２７８，２７８′…押圧ばね、２８０…集塵部、２８１…集塵容器、２８１ａ，２８１ａ′…集塵開口、２８１ｂ…塵埃排出口、２８４…蓋体、２９０…吹出し風路、２９１…上下風向板、２９５…左右風向板、３１１…送風ファン、３１３…送風モータ、３９６…受光部、３９７…表示部。
【図１】
2008057846.tif 000003
【図２】
2008057846.tif 000004
【図３】
2008057846.tif 000005
【図４】
2008057846.tif 000006
【図５】
2008057846.tif 000007
【図６】
2008057846.tif 000008
【図７】
2008057846.tif 000009
【図８】
2008057846.tif 000010
【図９】
2008057846.tif 000011
【図１０】
2008057846.tif 000012
【図１１】
2008057846.tif 000013
【図１２】
2008057846.tif 000014
【図１３】
2008057846.tif 000015